(57)【要約】【課題】所望の情報を得ることのできる情報処理装置、システム、方法及びプログラムを提供する。【解決手段】情報処理装置は、取得した画像から目的地関連情報を抽出する抽出手段と、取得した目的地情報と前記目的地関連情報との対応を判定する判定手段と、前記判定手段により対応が判定された場合、前記画像の被写体に関する情報を出力する出力手段と、を備える。【選択図】      図１
2015176421.tif 000002
【特許請求の範囲】
【請求項１】
取得した画像から目的地関連情報を抽出する抽出手段と、
取得した目的地情報と前記目的地関連情報との対応を判定する判定手段と、
前記判定手段により対応が判定された場合、前記画像の被写体に関する情報を出力する出力手段と、
を備える情報処理装置。
【請求項２】
前記被写体は乗物に関連し、
位置情報を取得する位置情報取得手段をさらに備え、
前記出力手段は、前記位置情報が示す場所が、前記目的地情報が示す目的地までの経路よりも手前に位置する場合に、前記乗物に関する情報を出力する請求項１に記載の情報処理装置。
【請求項３】
時刻情報を取得する時刻情報取得手段と、
運行計画情報を取得する運行計画情報取得手段と、
をさらに備え、
前記抽出手段は、前記画像から特定された乗物に関する前記運行計画情報に含まれる前記目的地関連情報を抽出し、
前記判定手段は、取得した目的地情報と前記目的地関連情報との対応を判定する
請求項２に記載の情報処理装置。
【請求項４】
時刻情報を取得する時刻情報取得手段と、
前記目的地関連情報に対応する運行計画情報を取得する運行計画情報取得手段と、
をさらに備え、
前記出力手段は、前記位置情報と前記時刻情報と前記運行計画情報とから、前記乗物に後続する乗物の情報を出力する請求項２に記載の情報処理装置。
【請求項５】
取得した画像から目的地関連情報を抽出する抽出手段と、
判定結果を取得して、前記画像の被写体に関する情報を出力する出力手段と、
を備える第１の情報処理装置と、
取得した前記目的地情報と前記目的地関連情報との対応を判定する判定手段を備える第２の情報処理装置と、
を備える情報処理システム。
【請求項６】
取得した画像から目的地関連情報を抽出する抽出し、
取得した目的地情報と前記目的地関連情報との対応を判定し、
対応が判定された場合、前記画像の被写体に関する情報を出力する情報処理方法。
【請求項７】
位置情報を取得し、
前記位置情報が示す場所が、前記目的地情報が示す目的地までの経路よりも手前に位置する場合に、前記被写体である乗物に関する情報を出力する
請求項６に記載の情報処理方法。
【請求項８】
時刻情報を取得し、
運行計画情報を取得し、
前記画像から特定された乗物に関する前記運行計画情報に含まれる前記目的地関連情報を抽出し、
取得した目的地情報と前記目的地関連情報との対応を判定する
請求項７に記載の情報処理方法。
【請求項９】
時刻情報を取得し、
前記目的地関連情報に対応する運行計画情報を取得し、
前記位置情報と前記時刻情報と前記運行計画情報とから、前記乗物に後続する乗物の情報を出力する
請求項７に記載の情報処理方法。
【請求項１０】
請求項６乃至９のいずれかに記載の方法をコンピュータに実行させる情報処理プログラム。
【発明の詳細な説明】
【技術分野】
【０００１】
本発明は、情報処理装置、システム、方法及びプログラムに関する。
【背景技術】
【０００２】
問合せ画像と参照画像との類似度を算出する画像類似度算出システムが知られている。（特許文献１参照）。
【先行技術文献】
【特許文献】
【０００３】
【特許文献１】特許第４１７５４１３号
【発明の概要】
【発明が解決しようとする課題】
【０００４】
特許文献１には、上述の技術を活用して、例えば、検索対象の画像群の中から、問合せ画像と類似する画像を検索することができることが記載されている。
【０００５】
ところで、問い合わせ画像に対しては、その類似画像を検索するだけではなく、問い合わせ画像に関する様々な情報を収集したい場合もありうる。
【０００６】
上述の技術は、問合せ画像と参照画像との類似度を高い精度で算出できるため、類似画像の検索をする点については記載があるが、他の用途についての記載は十分ではない。
【０００７】
そこで、本発明は、所望の情報を得ることのできる情報処理装置、システム、方法及びプログラムを提供することを目的とする。
【課題を解決するための手段】
【０００８】
かかる目的を達成するため、本発明の一形態は、情報処理装置であって、目的地情報を記憶する記憶手段と、取得した画像から目的地関連情報を抽出する抽出手段と、前記目的地情報と前記目的地関連情報との対応を判定する判定手段と、前記判定手段により対応が判定された場合、前記画像の被写体に関する情報を出力する出力手段と、を備える。
【０００９】
また、本発明は、画像から目的地関連情報を抽出する抽出手段と、判定結果を取得して、前記画像の被写体に関する情報を出力する出力手段と、を備える第１の情報処理装置と、取得した前記目的地情報と前記目的地関連情報との対応を判定する判定手段を備える第２の情報処理装置と、を備える情報処理システムを提供する。
【００１０】
また、本発明は、取得した画像から目的地関連情報を抽出する抽出ステップと、取得した目的地情報と前記目的地関連情報との対応を判定する判定ステップと、前記判定手段により対応が判定された場合、前記画像の被写体に関する情報を出力する出力ステップと、をコンピュータに実行させる情報処理プログラムを提供する。
【００１１】
また、本発明は、取得した画像から目的地関連情報を抽出し、取得した目的地情報と前記目的地関連情報との対応を判定し、前記判定手段により対応が判定された場合、前記画像の被写体に関する情報を出力する情報処理方法を提供する。
【発明の効果】
【００１２】
本発明は、所望の情報を得ることのできる情報処理装置、システム、方法及びプログラムを提供する。
【図面の簡単な説明】
【００１３】
【図１】情報処理装置１の構成例を示す図である。
【図２】目的地情報の例を示す図である。
【図３】目的地関連情報の例を示す図である。
【図４】情報処理装置の表示部に撮像された被写体と目的地関連情報との関係の例を示す図である。
【図５】情報処理装置の表示部に撮像された被写体と目的地関連情報との関係の例を示す図である。
【図６】情報処理装置の表示部に撮像された被写体と目的地関連情報との関係の例を示す図である。
【図７】目的地情報と目的地関連情報とが対応する例を示す図である。
【図８】実施形態１の動作例を示す図である。
【図９】情報処理装置１の構成例を示す図である。
【図１０】運行計画情報の例を示す図である。
【図１１】実施形態２の動作例を示す図である。
【図１２】乗物を識別する例を示す図である。
【図１３】情報処理装置１の構成例を示す図である。
【図１４】情報処理システムの構成例を示す図である。
【図１５】実施形態３の動作例を示す図である。
【発明を実施するための形態】
【００１４】
以下、本発明の実施の形態について、図面を用いて説明する。すべての図面において、同様な構成要素には同様の符号を付し、適宜説明を省略する。
【００１５】
なお、以下の説明における装置等を構成する各部は、論理回路等のハードウェアで構成される。また、各部は、コンピュータの制御部、メモリ、メモリにロードされたプログラム、プログラムを格納するハードディスク等の記憶ユニット、ネットワーク接続用インターフェースなどからなり、ハードウェアとソフトウェアの任意の組合せによって実現されてもよい。そして特に断りのない限り、その実現方法、装置は限定されない。
【００１６】
また、実施形態における各部を制御する制御部はＣＰＵ（Central Processing Unit）などからなる。そして、制御部はＯＳ（Operating system）を動作させて装置等の全体を制御するとともに、例えばドライブ装置などに装着された記録媒体からメモリにプログラムやデータを読み出し、これに従って各種の処理を実行する。記録媒体は、例えば光ディスク、フレキシブルディスク、磁気光ディスク、外付けハードディスク、半導体メモリ等であって、コンピュータプログラムをコンピュータが読み取り可能に記録する。また、コンピュータプログラムは、通信網に接続されている図示しない外部コンピュータからダウンロードされても良い。
【００１７】
＜実施形態１＞
まず、本発明の第１の実施形態について図面を用いて説明する。図１には、本実施の形態にかかる情報管理装置１の一例が示されている。
【００１８】
情報処理装置１は、記憶部１１と、抽出部１２と、判定部１３と、位置情報取得部１４と、出力部１５と、撮像部１６と、を備える。情報処理装置１は、例えばカメラ機能（撮像部１６）を備えるスマートフォンなどの携帯端末であるがそれに限定されない。以下では情報処理装置１としてスマートフォンの例を説明する。そのため、情報処理装置１は不図示の表示部を備える。表示部はタッチパネルと一体に形成される。
【００１９】
記憶部１１は、目的地情報を記憶している。目的地情報は、場所を識別可能な情報を含む。図２には目的地情報の一例が示されている。図２は、目的地として“Ａ”という名称、及び、当該名称の存在する緯度、経度の情報が記憶部１１に記憶されている例を示している。この他、目的地を識別可能な情報であれば目的地情報は画像などでもよく、特に限定されない。
【００２０】
撮像部１６は、画像を撮影可能なカメラ機能を備える。撮像部１６は、被写体を撮像し、その画像情報を情報処理装置１内に取り込む。
【００２１】
抽出部１２は、撮像部１６が取得した画像から目的地関連情報を抽出する機能を備える。目的地関連情報とは、場所を識別可能な情報を含む。目的地関連情報は、例えば、乗物等に設けられた案内表示板や案内表示装置等に表示される情報である。案内表示は、乗物の停車場所、行先等を示す表示を含む。案内表示装置とは、例えば電光掲示板やデジタルサイネージのような情報表示装置である。図３は目的地関連情報の一例を示している。図４、５は、撮像部１６が撮像したバスの画像が情報処理装置１の表示部に表示された例を示している。図４、５に示すように、バスや列車の車両前方や側面等には行先（例えば“Ａ行き””Ｂ方面“）と表示された案内表示板が設置されている場合がある。案内表示板には図３に示すような目的地関連情報が表示されている。抽出部１２は、画像からこのような目的地関連情報を抽出する。
【００２２】
なお、目的地関連情報は、例えば記憶部１１に予め記憶されていても良い。抽出部１２は、被写体画像と、予め記憶された目的地関連情報とのパターンマッチングやＯＣＲ（optical character recognition）などを行って、被写体画像中から目的地関連情報を抽出することができる。
【００２３】
目的地関連情報は、停留所や駅等に設置された案内表示板や案内表示装置等に表示された情報でも良い。例えば、図６は、駅に設置された表示板が被写体（あるいはその一部）となっている例を示している。表示板には、当該表示板の設置駅の駅名、及び、当該設置駅に停車する乗物の進行方向に対して一つ手前の駅名（以下、前駅名）、及び、進行方向一つ先の停車駅の駅名（以下、後駅名）が表示されている。また、表示板には、列車の進行方向を示す矢印などの情報も表示されている場合がある。例えば、表示板の設置駅の駅名がＤであり、前駅名がＣであり、後駅名がＡである場合、列車の表示板にはＣ→Ｄ→Ａなどと表示されている。図３に示すように、目的地関連情報には、このようなＣ→Ｄ→Ａなどの情報も含まれる。
【００２４】
目的地関連情報は、乗物の正面上部や側面の特定の箇所に設置されていることもある。そのため、抽出部１３は、被写体の所定箇所を特定したうえで当該箇所に含まれる情報を目的地関連情報として抽出しても良い。
【００２５】
判定部１３は、目的地情報と目的地関連情報との対応を判定する機能を備える。対応とは、目的地情報から抽出した情報と目的地関連情報から抽出した情報とがマッチングすることである。以下の例によって、マッチングの例を理解することが当業者には可能である。一例として、図７は、目的地情報“Ａ、（緯度Ｘ、経度Ｙ）“と、目的地関連情報”Ａ行き“とが対応することを図示している。まず、判定部１３は、目的地情報から名称Ａを抽出する。また、判定部１３は、目的地関連情報”Ａ行き“を形態素解析することによって、固有名詞Ａを抽出する。次に判定部１３は、抽出された情報が一致ないし類似するか否かを判定する。本例では、抽出された情報はいずれもＡで一致する。従って、判定部１３は、目的地情報と目的地関連情報とが対応すると判定する。なお、情報が類似する場合とは、例えばＡとaなどのように表記の字体やフォントが異なる場合や、大文字小文字の相違、漢字とひらがなとカタカナの相違、などの場合が含まれる。また、複数の図形、文字間において予め類似関係が定義されていても良い。例えば、類似関係には、距離が所定距離以内である場合も含む。例えば、Ａ駅とＺ駅が所定距離以内に存在すると仮定すると、ＡとＺとが類似すると定義されても良い。
【００２６】
他の一例として、図７は、目的地情報“Ａ、（緯度Ｘ、経度Ｙ）“と、目的地関連情報”Ｃ→Ｄ→Ａ“とが対応することを図示している。まず、判定部１３は、目的地情報から名称Ａを抽出する。また、判定部１３は、形態素解析によって、目的地関連情報”Ｃ→Ｄ→Ａ“を解析し、矢印が含まれている場合には、矢印をたどった先の最後の名詞を抽出する。ここでは、Ａが矢印の最後の名詞である。そのため、判定部１３は、名詞Ａを抽出する。次に判定部１３は、抽出された情報が一致ないし類似するか否かを判定する。本例では、抽出された情報はいずれもＡで一致する。従って、判定部１３は、目的地情報と目的地関連情報とが対応すると判定する。
【００２７】
なお、図３の上から４番目のレコードに示されるように、目的地関連情報は文字に限られず、文字と図形から構成されても良いし、図形だけでも良い。当該レコードに記載された情報が抽出部１２によって抽出された場合、判定部１３は以下のように動作しても良い。すなわち、判定部１３は、図形の形状解析等によって、とがった矢印形状中に文字が含まれている場合には、先端部分に記載されている名詞を抽出しても良い。その後の動作は上述の動作と同様である。
【００２８】
このように、判定部１３は、目的地情報から抽出した情報と目的地関連情報から抽出した情報とがマッチングするか否かを様々な方法で判定して良く、判定アルゴリズムは限定されない。なお、目的地関連情報ごとに判定方法が予め定義されていても良い。
【００２９】
位置情報取得部１４は、情報処理装置１の位置する場所の情報（位置情報）を取得する。位置情報取得部１４は、例えばＧＰＳ（Global Positioning System）でも良い。また、位置情報取得部１４は、撮像部１６が撮像した被写体の情報から場所の情報を取得しても良い。例えば、図６には、駅に設置された表示板が被写体（あるいは被写体の一部）となっている例を示している。上述のように、表示板には、当該表示板の設置駅の駅名が記載されている。そのため、当該表示板が被写体となる場合、位置情報取得部１４は、表示板の設置駅の駅名を位置情報として取得しても良い。また、位置情報取得部１４は、表示板の設置駅の駅名と対応する緯度、経度などの地理的情報を位置情報として外部データベース装置等から検索しても良い。
【００３０】
出力部１５は、判定部１３により対応が判定された場合、目的地情報と位置情報とに基づいて画像の被写体に関する情報を出力する。出力とは、表示部への表示や不図示のマイクによる音声での報知などである。被写体に関する情報とは、被写体の性質や属性などの情報や被写体に付随する情報に限られず、それらの情報が情報処理装置１の保持者（以下、ユーザ）にとってどのような意味を持つかに関する情報を含む。例えば、被写体が乗物である場合、被写体に関する情報には、当該乗物にユーザが乗車するべきか否かを示す情報が含まれる。この情報は乗物そのものに関する情報ではなく、乗物がユーザにとってどのような意味を持つかに関する情報である。また、被写体に関する情報には、ユーザの目的地に関する情報も含まれる。例えば、乗物がユーザの目的地に向かうか否かを示すために、ユーザの目的地を示す画像等が被写体である乗物画像に重畳表示されても良い。このようなユーザの目的地を示す画像等は、目的地情報として記憶されていても良い。
【００３１】
出力部１５は、例えば、位置情報によって示される情報処理装置１の現在地が、目的地情報によって示される目的地に向かうルートにおいて手前に位置する場合に、被写体である乗物にユーザが乗車すべき旨を表示部に表示する。ここで、目的地に向かうルートにおいて現在地が目的地よりも手前に位置する場合の具体例を説明する。例えば、目的地がＡであり、現在地がＣであるとする。また、上述のように目的地関連情報が”Ｃ→Ｄ→Ａ“であるとする。この場合、判定部１３は、目的地関連情報を解析し、目的地関連情報に矢印がある場合、矢印の先に記載された名詞よりも矢印の元に記載された名詞の方が手前であると判定する。すなわち、目的地関連情報が”Ｃ→Ｄ→Ａ“である場合、ＤはＡより手前であり、ＣはＤより手前であることが判定部１３によって判定される。別の例として、例えば、判定部１３は、目的関連情報に複数の名詞が記載されている場合、名詞の配置順をもとに目的地と現在地との位置関係を判定しても良い。すなわち、例えば、中央に記載の名詞より左に記載の名詞が手前に存在する地域名である等一定の規則が適用される。また、判定部１３は、ユーザの位置情報と、外部データベースに格納された地図情報や路線情報などを用いて目的地と現在地との関係を判定してもよい。具体的には、ユーザの初期位置と目的地とからルートが予め設定されていると仮定する。このようなルートは既存の技術を用いることにより設定可能であり、その実現方法は限定されない。この場合、判定部１３は、地図情報や路線情報などを用いて当該ルートにおいて現在地が目的地の手前に存在するか否かを判定することが可能である。現在地が目的地よりも手前に存在すると判定するための方法はこれ以外にも様々な方法があり、特段限定されない。
【００３２】
次に、本実施の形態における情報処理装置１の動作例について図８を用いて説明する。まず、ユーザは、情報処理装置１の撮像部１６によって被写体を撮影する。ここでは被写体はバスや電車等の乗物であるとする（ステップＳ１）。次に、抽出部１２は、撮影画像から目的地関連情報を抽出する（ステップＳ２）。上述の通り、目的地関連情報は、例えば、乗物や乗物の停留所、駅等に設置された案内表示板や案内表示装置等に表示される情報である。ここでは、目的地関連情報をバスの側面に設置された案内表示板であるとする（図４参照）。
【００３３】
次に、判定部１３は、目的地情報と目的地関連情報との対応を判定する（ステップＳ３）。ここで、判定部１３がこれらの対応が無いと判定した場合には、出力部１５は表示部に乗車すべきでない旨の表示を表示する（ステップＳ７）。一方、判定部１３が、これらの対応があると判定した場合、位置情報取得部１４は、情報処理装置１の現在地情報を取得する（ステップＳ４）。その結果、判定部１３が、現在地が目的地の手前に位置すると判定した場合（ステップＳ５、Ｙｅｓ）、出力部１５は、被写体である乗物に乗車すべきである旨を表示部に表示する（ステップＳ６）。一方、現在地が目的地の手前に位置しない場合には、出力部１５は、乗車すべきでない旨を表示部に表示する（ステップＳ７）。なお、表示部に表示される情報は、上述した目的地の画像やユーザの母国語などで表示されることが可能である。これにより、たとえ目的地関連情報が外国語で記載されていたとしても、ユーザは、乗物に乗車すべきか否かを画像や母国語で理解することができる。なお、表示形態は、文字や画像だけでなく、丸やバツなどの記号でも良い。また、ここでは表示を例に説明したが、出力部１５が出力する情報は表示部への表示のみならず、音声での出力でも良い。
【００３４】
本実施の形態によれば、被写体となる乗物から目的地関連情報を抽出し、目的地関連情報とユーザの目的地、現在地とを比較することによって、当該乗物に乗車すべきか否かを提示できる。それゆえ、ユーザは、被写体を撮像することにより被写体に関する所望の情報を得ることができる。
【００３５】
＜実施形態２＞
次に、本発明の第２の実施形態について図面を用いて説明する。図９には、本実施の形態にかかる情報管理装置１の一例が示されている。本実施の形態は第１の実施の形態の構成に加えて、時刻情報取得部１７、運行計画情報取得部１８をさらに備える。以下では、相違点について主に説明し、第１の実施の形態と重複する説明は省略する。
【００３６】
時刻情報取得部１７は、時刻情報を取得する機能を備える。時刻情報とは、例えば、現在時刻である。時刻は、例えば情報処理装置１内部または外部の時計から取得される。
【００３７】
運行計画情報取得部１８は、撮像部１６の被写体となる乗物に関する運行計画情報を取得する。運行計画情報は、乗物を管理する会社のデータベースから取得しても良いし、予め情報処理装置１内の記憶部に格納されていても良い。運行計画情報は、例えば、乗物の識別情報、乗物の停車地、停車時刻を対応付けた情報である。図１０は運行計画情報の一例を示している。図１０に示される運行計画情報は、電車名が電車１である電車は、Ａ駅に時刻１０：００に到着し、Ｂ駅に時刻１０：１２に到着し、Ｃ駅に１０：２３に到着することを示している。また、図１０に示される運行計画情報は、後続する電車は、Ａ駅に時刻１０：０３に到着し、Ｂ駅に時刻１０：１５に到着し、Ｃ駅に１０：２７に到着することを示している。
【００３８】
出力部１５は、位置情報取得部１４が取得した位置情報と、時刻情報取得部１７が取得した時刻情報と、運行計画情報取得部１８が取得した運行計画情報とから、被写体に関する乗物に後続する乗物の情報を出力する。
【００３９】
具体的な動作例について図１１を用いて説明する。ステップＳ１〜Ｓ３までは第１の実施の形態と同様であるから説明を省略する。次に、位置情報取得部１４は位置情報を取得する。また、時刻情報取得部１７は時刻情報を取得する。また、運行計画情報取得部１８は運行計画情報を取得する（ステップＳ２１）。次に、不図示の制御部は、乗物の運行計画情報を特定する（ステップＳ２２）。具体的には、まず、制御部は、目的地関連情報や乗車の形状等の特徴量から、乗物を識別する情報を取得する。図１２は、このような目的地関連情報、特徴量と乗物の識別情報とを対応づけて記憶する記憶部の例である。このような記憶部は情報処理装置１の内部または外部に設けられる。ここでは、乗物として電車である場合を例に説明する。図１２の１行目のレコードは、目的地関連情報がＡ行きであり、特徴量がαであれば電車名は電車１であることを示している。図１２の２行目のレコードは特徴量がβであれば電車名は電車２であることを示している。図１３の３行目のレコードは目的地関連情報がＣ→Ｄ→Ａであれば電車名は電車１であることを示している。このような記憶部を参照することにより、制御部は、撮像部１６が取得した画像の目的地関連情報や特徴量から電車名を取得できる。なお、αやβは画像特徴ベクトルなどの、画像の特徴量を表現する任意の情報である。
【００４０】
次に、制御部は、図１０に示した記憶部を参照して、電車名と対応する運行計画情報を取得する。これにより、撮像された被写体に関する乗物の運行計画情報が特定される。
【００４１】
次に出力部１５は、特定された運行計画情報に基づき、後続乗物の情報を表示部に表示する（ステップＳ２３）。例えば、特定された運行計画情報が、電車１に関する情報であるとする。また、現在地がＡ駅であり、現在時刻が１０：０１であるとする。この場合、図１０に示す運行計画情報によれば、後続する電車１は１０：０３にＡ駅に停車する。従って、出力部１５は、後続乗物の情報として、１０：０３に後続の電車がＡ駅に停車することを示す情報を表示部に表示する。出力部１５が出力する情報はこれに限られない。
【００４２】
なお、上述の説明では、被写体画像の目的地関連情報や特徴量を基に電車名を特定する例を説明した。しかし、これらの情報に代わり、現在時刻と現在地の情報だけで電車名が特定可能な場合もある。例えば、図１０に示すように、電車１の運行計画情報によれば、電車１はＡ駅に１０：００に停車する。そして、他の電車の運行計画情報には、Ａ駅に１０：００に停車する電車が他に存在しない場合もある。このような場合には、被写体画像の目的地関連情報や特徴量を用いずとも電車名を特定することができる。したがって、制御部は、現在時刻と現在地の情報だけで乗物を識別しても良い。このように、乗物を識別する方法は限定されず、目的地関連情報や画像の特徴量、時刻情報、位置情報などを組み合わせて乗物を識別することが可能である。
【００４３】
なお、本実施の形態では、第１の実施の形態と同様の動作をすることも可能である。そのため、第１の実施の形態と同様に、被写体となる乗物から目的地関連情報を抽出し、目的地関連情報とユーザの目的地、現在地とを比較することによって、当該乗物に乗車すべきか否かを提示することもできる。
【００４４】
さらに、本実施の形態によれば、運行計画情報を取得することによって後続乗物の情報を取得できるため、乗物に乗り過ごした場合にもユーザの利便性を高めることができる。本実施の形態と第１の実施の形態の説明とを踏まえれば以下のことが理解される。すなわち、画像の被写体に関する情報とは、被写体そのものについて、ユーザに対する意味を提供する情報（例えば、乗車すべきか否か）が含まれる。それだけでなく、画像の被写体に関する情報とは、被写体に関連する他の情報（例えば、後続する乗物に関する情報）も含まれることが理解される。このように、ユーザは、被写体を撮像することにより被写体に関する所望の情報を得ることができる。
【００４５】
＜実施形態３＞
次に、本発明の第３の実施形態について図面を用いて説明する。本実施の形態における情報処理装置１の構成は実施形態２と同様であるから説明を省略する。本実施の形態では、抽出部１２が被写体の特徴量を抽出し、当該特徴量によって被写体に関する乗物の運行計画情報を取得可能な場合を説明する。
【００４６】
具体的な動作について図１５を用いて説明する。まず、撮像部１６は被写体を撮像する（ステップＳ３１）。ここでは被写体が電車であると仮定する。次に、抽出部１２は、被写体となる電車の画像から特徴量を抽出する（ステップＳ３２）。次に、不図示の制御部は、画像の特徴量から電車名を特定する。実施形態２で説明したように、例えば図１２に示した記憶部等によれば、特徴量がβであれば電車名は電車２であることが分かる。このような記憶部を参照することにより、制御部は、撮像部１６が取得した画像から電車名を取得できる。
【００４７】
次に、運行計画情報取得部１８は、特定された電車名に関する運行計画情報を取得する（ステップＳ３３）。これにより、例えば図１０に示すような電車の運行計画情報が取得される。次に、位置情報取得部１４、時刻情報取得部１７は、それぞれ位置情報、時刻情報を取得する（ステップＳ３４）。これにより、運行計画情報、現在時刻、現在地の情報が得られる。
【００４８】
次に、判定部１３は、目的地関連情報が目的地情報と対応するか否かを判定する（ステップＳ３５）。ここでの目的地関連情報とは、運行計画情報に含まれる電車の停車予定駅名である。すなわち、本実施の形態では、抽出部１２は、運行計画情報から運行計画情報に含まれる電車の停車予定駅を目的地関連情報として抽出する。このように、抽出部１２が「画像から目的地関連情報を抽出する」とは、目的地関連情報を画像情報から抽出する場合のみならず、画像に基づいて取得された情報から抽出する場合も含む。
【００４９】
判定部１３によって的地関連情報が目的地情報と対応することが判定されると、上記実施形態と同様に出力部１５は画像の被写体に関する情報を出力する（ステップＳ３６）。
【００５０】
本実施の形態によれば、乗物などの被写体の特徴量によって被写体を識別し、当該識別された被写体の運行計画情報によって、当該被写体がユーザにとってどのような意味を持つかの情報を出力できる。
【００５１】
したがって、例えば乗物が動いていて画像が不鮮明である場合などのように、乗物の画像自体から目的地関連情報を取得できなかったとしても、乗物を識別することさえできれば、当該乗物に乗車すべきか否かといった情報をユーザが取得できる。それゆえ、ユーザは、被写体を撮像することにより被写体に関する所望の情報を得ることができる。
【００５２】
＜実施形態４＞
次に、本発明の第４の実施の形態について説明する。本実施の形態の情報処理装置１は、抽出部１２と、判定部１３と、出力部１５とを備える。これらの各部の動作は上述の実施形態で説明したとおりであるから説明を適宜省略しつつ説明する。
【００５３】
抽出部１２は、上述の撮像部１６などによって撮像された画像から目的地関連情報を抽出する。判定部１３は、内部記憶部または外部から取得した目的地情報と目的地関連情報との対応を判定する。判定方法や判定例は上述の通りである。出力部１５は、判定部１３により目的地情報と目的地関連情報とが対応することが判定された場合、画像の被写体に関する情報を出力する。被写体に関する情報とは、被写体の性質、属性、被写体に付随する情報に限られず、それらの情報がユーザにとってどのような意味を持つかに関する情報を含む。例えば、被写体が乗物である場合、被写体に関する情報には、当該乗物にユーザが乗車するべきか否かを示す情報が含まれる。また、被写体に関する情報には、ユーザの目的地に関する情報も含まれる。例えば、乗物がユーザの目的地に向かうか否かを示すために、ユーザの目的地を示す画像等が被写体である乗物画像に重畳表示されても良い。このようなユーザの目的地を示す画像等は、目的地情報として不図示の記憶部に記憶されていても良い。それだけでなく、画像の被写体に関する情報には、被写体に関連する他の情報（例えば、後続する乗物に関する情報）も含まれる。
【００５４】
以上、実施形態を参照して本願発明を説明したが、本願発明は上記実施形態に限定されるものではない。本願発明の構成は、本願発明のスコープ内で当業者が理解しうる様々な変更をすることができる。例えば、１つの構成体で構成されているように記載されているものを複数の構成体で構成させることもできる。例えば、図１４に示すように、情報処理装置を二つに分けても良い（情報処理装置１、情報処理装置２）。例えば、情報処理装置１は抽出部１２、出力部１５を備える。この場合、情報処理装置１の抽出部１２は不図示の撮像部１６等により取得した画像から目的地関連情報を取得する。また、不図示の通信部は、情報処理装置２に目的地関連情報を送信する。また、情報処理装置１は、通信部によって情報処理装置２から判定結果を取得する。出力部１５は、判定結果に従って画像の被写体に関する情報を出力する。
【００５５】
一方、情報処理装置２は、判定部１３を備える。情報処理装置２は、不図示の通信部によって、目的地関連情報を情報処理装置１から取得する。判定部１３は、目的地情報と、目的地関連情報との対応を判定する。対応が判定された場合、通信部は、判定結果を情報処理装置１に送信する。
【００５６】
このような構成によれば、情報処理装置１自体の構成を簡略化しつつ、情報処理装置１と情報処理装置２との連携によって本発明の効果を実現できる。このように、本願発明の構成は、本願発明のスコープ内で当業者が理解しうる様々な変更が可能である。
【００５７】
（付記１）
取得した画像から目的地関連情報を抽出する抽出手段と、取得した目的地情報と前記目的地関連情報との対応を判定する判定手段と、前記判定手段により対応が判定された場合、前記画像の被写体に関する情報を出力する出力手段と、を備える情報処理装置。
【００５８】
（付記２）
前記被写体は乗物に関連し、位置情報を取得する位置情報取得手段をさらに備え、前記出力手段は、前記位置情報が示す場所が、前記目的地情報が示す目的地までの経路よりも手前に位置する場合に、前記乗物に関する情報を出力する付記１に記載の情報処理装置。
【００５９】
（付記３）
時刻情報を取得する時刻情報取得手段と、運行計画情報を取得する運行計画情報取得手段と、をさらに備え、前記抽出手段は、前記画像から特定された乗物に関する前記運行計画情報に含まれる前記目的地関連情報を抽出し、前記判定手段は、取得した目的地情報と前記目的地関連情報との対応を判定する付記２に記載の情報処理装置。
【００６０】
（付記４）
時刻情報を取得する時刻情報取得手段と、前記目的地関連情報に対応する運行計画情報を取得する運行計画情報取得手段と、をさらに備え、前記出力手段は、前記位置情報と前記時刻情報と前記運行計画情報とから、前記乗物に後続する乗物の情報を出力する付記２に記載の情報処理装置。
【００６１】
（付記５）
取得した画像から目的地関連情報を抽出する抽出手段と、判定結果を取得して、前記画像の被写体に関する情報を出力する出力手段と、を備える第１の情報処理装置と、取得した前記目的地情報と前記目的地関連情報との対応を判定する判定手段を備える第２の情報処理装置と、を備える情報処理システム。
【００６２】
（付記６）
取得した画像から目的地関連情報を抽出する抽出し、取得した目的地情報と前記目的地関連情報との対応を判定し、対応が判定された場合、前記画像の被写体に関する情報を出力する情報処理方法。
【００６３】
（付記７）
位置情報を取得し、前記位置情報が示す場所が、前記目的地情報が示す目的地までの経路よりも手前に位置する場合に、前記被写体である乗物に関する情報を出力する付記６に記載の情報処理方法。
【００６４】
（付記８）
時刻情報を取得し、運行計画情報を取得し、前記画像から特定された乗物に関する前記運行計画情報に含まれる前記目的地関連情報を抽出し、取得した目的地情報と前記目的地関連情報との対応を判定する付記７に記載の情報処理方法。
【００６５】
（付記９）
時刻情報を取得し、前記目的地関連情報に対応する運行計画情報を取得し、前記位置情報と前記時刻情報と前記運行計画情報とから、前記乗物に後続する乗物の情報を出力する付記７に記載の情報処理方法。
【００６６】
（付記１０）
付記６乃至９のいずれかに記載の方法をコンピュータに実行させる情報処理プログラム。
【符号の説明】
【００６７】
１      情報処理装置
１１    記憶部
１２    抽出部
１３    判定部
１４    位置情報取得部
１５    出力部
１６    撮像部
１７    時刻情報取得部
１８    運行計画情報取得部
【図１】
2015176421.tif 000003
【図２】
2015176421.tif 000004
【図３】
2015176421.tif 000005
【図４】
2015176421.tif 000006
【図５】
2015176421.tif 000007
【図６】
2015176421.tif 000008
【図７】
2015176421.tif 000009
【図８】
2015176421.tif 000010
【図９】
2015176421.tif 000011
【図１０】
2015176421.tif 000012
【図１１】
2015176421.tif 000013
【図１２】
2015176421.tif 000014
【図１３】
2015176421.tif 000015
【図１４】
2015176421.tif 000016
【図１５】
2015176421.tif 000017